【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
内視鏡と使用される組織付着装置と縫合糸クリップ送出装置の一体型装置であって、
チャネルを画定する部分を有する組織付着装置と、
前記チャネル内で自由に摺動する縫合糸クリップ送出装置とを具備する装置。
【請求項２】
前記チャネル内で軸方向変位できるように構成された針を更に具備する請求項１記載の装置。
【請求項３】
前記針の表面に解放可能に係止できるように構成された表面を有するプッシャーを更に具備する請求項２記載の装置。
【請求項４】
前記プッシャーの近位端に取り付けられた制御ハンドルを更に具備する請求項３記載の装置。
【請求項５】
前記組織付着装置はカプセルを具備する請求項４記載の装置。
【請求項６】
前記カプセルは、吸引ポートと、該吸引ポートに隣接しこれに連通する真空チャンバと、を画成する請求項５記載の装置。
【請求項７】
前記真空チャンバは前記チャネルに連通する請求項６記載の装置。
【請求項８】
前記カプセルは、中に形成されたキャビティを有する遠位尖端を更に具備する請求項７記載の装置。
【請求項９】
前記カプセルは、前記キャビティ内に実質的に平行な配列で装着された少なくとも２つのばねを更に具備する請求項８記載の装置。
【請求項１０】
前記付着装置は、前記針及びプッシャーを受け取るための貫通内腔を有する係止スリーブを更に具備し、該係止スリーブは、前記針及びプッシャーの周りに同軸的に具備し、該針及びプッシャーの周りで軸方向に自由に摺動する請求項９記載の装置。
【請求項１１】
前記針は、半径方向に内向きに延在する環状リングを有する請求項１０記載の装置。
【請求項１２】
前記針は、前記針の部分的長さに沿って形成された少なくとも１つのスロットを具備する請求項１１記載の装置。
【請求項１３】
前記プッシャーは、前記針の環状リングに噛み合い係合するように構成された環状チャネルを有する請求項１２記載の装置。
【請求項１４】
前記係止スリーブは、前記プッシャーに対して前記針を半径方向に圧縮することにより、ように寸法づけられ、それによって前記環状リングが前記環状チャネルに係合して、該針及びプッシャーが相対的に軸方向に動くのを防止するような寸法で構成される請求項１３記載の装置。
【請求項１５】
前記少なくとも２つのばねは、所定の距離だけ間隔をおき、前記針が前記少なくとも２つのばねを過ぎて遠位に前進することを可能にし、それによって、前記ばねは、前記針が前記間隔をおいたばねを通って前進するときには半径方向に外向きに撓み、前記針の近位端が前記ばねの遠位面に対して遠位にあるときには載置位置へ半径方向に内向きに撓む請求項１４記載の装置。
【請求項１６】
前記針に受け取られるように構成されたタグを更に具備する請求項１５記載の装置。
【請求項１７】
前記針は、縫合糸を受け取るための表面を有する請求項１６記載の装置。
【請求項１８】
前記針は、キャビティであって、該キャビティに摩擦係合するように寸法づけられたプラグを受け取るためのキャビティを有し、前記縫合糸は、前記キャビティの壁と前記プラグとの間に摩擦係合する請求項１７記載の装置。
【請求項１９】
前記縫合糸クリップ送出装置は、
本体と、該本体の遠位端から延びる複数のコレットフィンガとを有するコレットと、
前記制御ハンドルを前記コレットに接続するハイポチューブと、
前記スリーブが長手方向軸に沿って自由に摺動するように前記コレットのまわりに同軸的に位置する外側スリーブと、
送出カテーテルの長手方向軸に沿って自由に摺動する前記コレット内に同軸的に位置するプッシャーとを更に具備する請求項１記載の装置。
【請求項２０】
前記複数のコレットフィンガは、前記複数のコレットフィンガの各々の遠位端から半径方向に内向きに延びるフランジを更に具備する請求項１９記載の装置。
【請求項２１】
前記複数のコレットフィンガの少なくとも１つは、内壁であって、近位端から遠位端へ半径方向に内向きに細くなって、該コレットフィンガ、ランプ及びフランジの組み合わせが縫合糸クリップケージを画成することを特徴とする内壁に形成されたランプを有する請求項２０記載の装置。
【請求項２２】
前記フランジは、外側及び内側の遠位縁に丸みを帯びている請求項２１記載の装置。
【請求項２３】
前記複数のコレットフィンガの各々は、フィンガスロットを画成する側壁を有する請求項２２記載の装置。
【請求項２４】
前記外側スリーブは、前記スリーブの遠位端に近位側に位置する少なくとも１つの縫合糸スロットを画成する部分を有する請求項２３記載の装置。
【請求項２５】
前記スリーブは、前記縫合糸スロットに近位側に位置する整列配置スロットを画成するさらなる部分を有する請求項２４記載の装置。
【請求項２６】
前記コレットは、外側コレット壁に形成され、前記整列配置スロットに係合しその中で摺動できるように構成されて、少なくとも１つの前記フィンガスロットが前記縫合糸スロットと半径方向に整列配置するように、整列配置ピンを有する請求項２５記載の装置。
【請求項２７】
前記少なくとも１つのフィンガスロットは、前記縫合糸スロットの少なくとも一部に長手方向に整列配置する請求項２６記載の装置。
【請求項２８】
前記フランジの近位面は、隣接するコレットフィンガの長手方向軸と約９０度から約１３５度の夾角を形成する請求項２７記載の装置。
【請求項２９】
本体と該本体の遠位端から延びる複数のコレットフィンガとを有するコレットと、該コレットのまわりに同軸的に具備された外側スリーブであって、該外側スリーブが長手方向軸に沿って自由に摺動することを特徴とする外側スリーブと、
長手方向軸に沿って自由に摺動する前記コレット内に同軸的に具備された第１のプッシャーと、
前記第１のプッシャーに同軸的に具備され、且つ、長手方向軸に沿って自由に摺動する前記コレット内に同軸的に具備された第２のプッシャーとを更に具備する請求項１記載の装置。
【請求項３０】
前記複数のコレットフィンガは、前記複数のコレットフィンガの各々の遠位端から半径方向に内向きに延びたフランジを更に具備する請求項２９記載の装置。
【請求項３１】
前記複数のコレットフィンガの少なくとも１つは、近位端から遠位端へ半径方向に内向きに細くなる内壁に形成されたランプを有することで、該コレットフィンガ、ランプ及びフランジの組み合わせが縫合糸クリップケージを画定するように構成された請求項３０記載の装置。
【請求項３２】
前記フランジは、外側及び内側の遠位縁に丸みが与えられている請求項３１記載の装置。
【請求項３３】
前記複数のコレットフィンガの各々は、フィンガスロットを画定する側壁を有する請求項３２記載の装置。
【請求項３４】
前記外側スリーブは、前記スリーブの遠位端の近位側に位置する少なくとも１つの縫合糸スロットを画定する部分を有する請求項３３記載の装置。
【請求項３５】
前記スリーブは、前記縫合糸スロットの近位側に位置する整列配置スロットを画定するさらなる部分を有する請求項３４記載の装置。
【請求項３６】
前記コレットは、外側コレット壁に形成され、前記整列配置スロットに係合しその中で摺動するように構成された整列配置ピンを有することで、少なくとも１つの前記フィンガスロットが前記縫合糸スロットに半径方向に整列配置するように構成された請求項３５記載の装置。
【請求項３７】
前記少なくとも１つのフィンガスロットは、前記縫合糸スロットの少なくとも一部と長手方向に整列配置する請求項３６記載の装置。
【請求項３８】
前記フランジの近位面は、隣接するコレットフィンガの長手方向軸と約９０度から約１３５度の夾角を形成する請求項３７記載のカテーテル。
【請求項３９】
前記第２のプッシャーの遠位端は、細くなっており、前記第２のプッシャーが遠位に前進するときに前記ランプに噛み合い係合する請求項３８記載のカテーテル。